【手続補正書】
【提出日】平成20年9月17日(2008.9.17)
【手続補正１】
【補正対象書類名】特許請求の範囲
【補正対象項目名】全文
【補正方法】変更
【補正の内容】
【特許請求の範囲】
【請求項１】
ケーブルが挿入されるスリットを軸方向と略平行な方向に有した筒状部と、外部の被係止部材に係止される係止部と、を備える太陽電池ケーブル用保持部材を、太陽電池モジュールの裏面に、前記スリットが前記裏面によって塞がれるように配置させてなる、太陽電池装置。
【請求項２】
ケーブルが挿入されるスリットを軸方向と略平行な方向に有した筒状部と、外部の被係止部材に係止される係止部と、を備える太陽電池ケーブル用保持部材を、太陽電池モジュールの裏面に、前記スリットが前記裏面と対向し、且つ該スリットと前記裏面との間の距離が前記スリットの開口幅よりも小さくなるように配置させてなる、太陽電池装置。
【請求項３】
前記被係止部材が、前記太陽電池モジュールを固定するための架台と一体的に形成されていることを特徴とする請求項１または請求項２に記載の太陽電池装置。
【請求項４】
前記係止部がフック状係止部であり、前記フック状係止部を、太陽電池モジュールを固定するための架台に設けられた、凹状係止部と係止させ、前記ケーブルを前記スリットから前記筒状部に載置するとともに、前記太陽電池モジュールを前記太陽電池ケーブル用保持部材の上方に設置すべく、前記太陽電池モジュールを、前記太陽電池ケーブル用保持部材を取り付けた、前記架台に設置したことを特徴とする、請求項１から３のいずれかの項に記載の太陽電池装置。
【請求項５】
前記太陽電池モジュールの裏面と前記太陽電池ケーブル用保持部材の上面との距離は、前記ケーブルの直径と前記フック状係止部の高さのどちらよりも小さいことを特徴とする請求項４に記載の太陽電池装置。
【手続補正２】
【補正対象書類名】明細書
【補正対象項目名】発明の名称
【補正方法】変更
【補正の内容】
【発明の名称】太陽電池ケーブル用保持部材を用いた太陽電池装置
【手続補正３】
【補正対象書類名】明細書
【補正対象項目名】０００１
【補正方法】変更
【補正の内容】
【０００１】
本発明は太陽電池装置に関し、特に太陽電池モジュール用送電ケーブルを収納または固定する太陽電池ケーブル用保持部材を用いた太陽電池装置に関するものである。
【手続補正４】
【補正対象書類名】明細書
【補正対象項目名】００１２
【補正方法】変更
【補正の内容】
【００１２】
本発明は、上記問題に鑑みてなされたものであり、必要な場所にのみ部品を設置し、使用材料を最小限に止め、ケーブル支持部材は太陽電池を取付ける目的のフレーム断面を変更することなくフック部を収納でき、さらに太陽電池モジュールの設置することによりクランプおよびケーブルが脱落しにくくかつ、施工性がよく排水性の高い送電ケーブルの支持部材を用いた太陽電池装置を提供することを目的とする。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】変更
【補正の内容】
【００１９】
本発明の太陽電池装置は、ケーブルが挿入されるスリットを軸方向と略平行な方向に有した筒状部と、外部の被係止部材に係止される係止部と、を備える太陽電池ケーブル用保持部材を、太陽電池モジュールの裏面に、前記スリットが前記裏面によって塞がれるように配置させたことを特徴とする。
【手続補正１２】
【補正対象書類名】明細書
【補正対象項目名】００２０
【補正方法】変更
【補正の内容】
【００２０】
また、本発明の他の太陽電池装置は、ケーブルが挿入されるスリットを軸方向と略平行な方向に有した筒状部と、外部の被係止部材に係止される係止部と、を備える太陽電池ケーブル用保持部材を、太陽電池モジュールの裏面に、前記スリットが前記裏面と対向し、且つ該スリットと前記裏面との間の距離が前記スリットの開口幅よりも小さくなるように配置させたことを特徴とする。
【手続補正１３】
【補正対象書類名】明細書
【補正対象項目名】００２１
【補正方法】変更
【補正の内容】
【００２１】
また、本発明の他の太陽電池装置は、前記被係止部材が、前記太陽電池モジュールを固定するための架台と一体的に形成されていることを特徴とする。
【手続補正１４】
【補正対象書類名】明細書
【補正対象項目名】００２２
【補正方法】変更
【補正の内容】
【００２２】
また、本発明の他の太陽電池装置は、前記係止部がフック状係止部であり、前記フック状係止部を、太陽電池モジュールを固定するための架台に設けられた、凹状係止部と係止させ、前記ケーブルを前記スリットから前記筒状部に載置するとともに、前記太陽電池モジュールを前記太陽電池ケーブル用保持部材の上方に設置すべく、前記太陽電池モジュールを、前記太陽電池ケーブル用保持部材を取り付けた、前記架台に設置したことを特徴とする。
【手続補正１５】
【補正対象書類名】明細書
【補正対象項目名】００２３
【補正方法】変更
【補正の内容】
【００２３】
また、本発明の他の太陽電池装置は、前記太陽電池モジュールの裏面と前記太陽電池ケーブル用保持部材の上面との距離は、前記ケーブルの直径と前記フック状係止部の高さのどちらよりも小さいことを特徴とする。
【手続補正１６】
【補正対象書類名】明細書
【補正対象項目名】００２４
【補正方法】変更
【補正の内容】
【００２４】
本発明に記載の太陽電池ケーブル用保持部材は、ケーブルが挿入されるスリットを軸方向と略平行な方向に有した筒状部と、外部の被係止部材に係止される係止部と、を備えたことにより、例えば、太陽電池モジュールを固定するための架台の太陽電池モジュールの下方部位に前記被係止部材を設け、前記係止部を前記被係止部に係止させ、送電ケーブルを屋根面に接触させることなく収納することが出来、送電ケーブルと屋根面との接触に伴う屋根の劣化が抑えられ、送電ケーブルが長時間にわたり湿潤の環境におかれることもないため、送電ケーブルの劣化を抑えることができる。また、ケーブル支持部材を用いることで施工性向上により工数の削減が可能であり、更に現場で必要に応じてケーブル用保持部材の追加が可能であり、送電ケーブルを容易に固定することができる。
【手続補正１７】
【補正対象書類名】明細書
【補正対象項目名】００２５
【補正方法】変更
【補正の内容】
【００２５】
また、本発明は、太陽電池ケーブル用保持部材により、送電ケーブルを保持する太陽電池装置において、前記保持部材は筒状部及びフック部より形成され、フック部は太陽電池架台の側壁の凹状係止部に収納される。その後、太陽電池モジュールがフック部上部を覆い、かつ太陽電池モジュール裏面とケーブル支持部材上面との距離がフック部高さ及びケーブル径よりも短いケーブル固定構造とする。このためケーブル及びケーブル支持部材が脱落しにくい構造となる。
【手続補正１８】
【補正対象書類名】明細書
【補正対象項目名】００２７
【補正方法】変更
【補正の内容】
【００２７】
本発明の太陽電池装置によれば、送電ケーブルを有しかつそれを保持部材により保持する太陽電池装置において、ケーブル及びケーブル保持部材が脱落しにくい構造となる。
【手続補正１９】
【補正対象書類名】明細書
【補正対象項目名】００２９
【補正方法】変更
【補正の内容】
【００２９】
本発明の太陽電池装置によれば、送電ケーブルを有しかつそれを保持部材により保持する太陽電池装置において、前記保持部材は筒状部及びフック部より形成され、フック部は太陽電池架台の側壁の凹状係止部に収納される。その後、太陽電池モジュールがフック部上部を覆い、かつ太陽電池モジュール裏面とケーブル支持部材上面との距離がフック部高さ及びケーブル径よりも短いケーブル固定構造とする。このためケーブル及びケーブル支持部材が脱落しにくい構造となる。